(57)【要約】【課題】スポーツや作業時、スポーツ観戦時にラジオ放送等を聴取する際、ラジオまたはスピーカーが落下したり動作や視界の妨げになったりしないように身体に装着する手段を提供する。【解決手段】プラスチックフィルム、紙、不織布、布などの自在に曲げられる素材上に作製されたラジオを帽子、野球帽のブリムの部分に埋め込むか、ブリムの芯材そのものにラジオを作製する。【選択図】図１
2018204122.tif 000002
【特許請求の範囲】
【請求項１】
そのフレキシブルに湾曲するまたは固定的に湾曲した芯材と外装材とから成るつばまたはクラウンの内部に、前記芯材の湾曲する形状に沿って、ラジオ回路とその操作部を配置したフレキシブルな基板を固定、または直接ラジオ回路とその操作部を固定したことを特徴とする帽子。
【請求項２】
前記帽子は、野球帽、バイザー、ヘルメットであることを特徴とする請求項１に記載の帽子。
【請求項３】
前記芯材に所定の穴を設け、
前記所定の穴の底部に前記フレキシブルな基板をあるいは直接ラジオ回路とその操作部を固定したことを特徴とする請求項２に記載の帽子。
【請求項４】
前記芯材はフレキシブルなプラスチックフィルム、紙、不織布、または布からなる単層、または前記単層を重ねて接合した積層された芯材であって前記穴は前記単層に穴を穿ち、または前記単層をくり抜いたように設けたことを特徴とする請求項３に記載の帽子。
【請求項５】
さらに前記芯材に他の穴を設けてその穴に前記ラジオ回路に電力を供給する電池を保持する電池ホルダを固定したことを特徴とする請求項４に記載の帽子。
【請求項６】
さらに前記外装材の内側あるいは前記芯材に前記ラジオ回路に接続されるアンテナを縫い込むことを特徴とする請求項５に記載の帽子。
【請求項７】
さらに前記芯材に他の穴を設けてその穴の底部に前記ラジオ回路のオーディオ出力に接続されるスピーカーを固定したことを特徴とする請求項６に記載の帽子。
【請求項８】
前記外装材の一部から前記ラジオ回路のオーディオ出力に接続されイヤホン端子を終端とするケーブルを引き出したことを特徴とする請求項６に記載の帽子。
【請求項９】
前記フレキシブルな基板に前記ラジオ回路のオーディオ出力を無線送信する無線送信部を配置したことを特徴とする請求項６に記載の帽子。
【請求項１０】
前記穴および他の穴が開口する面に対応する外装材を面ファスナまたはボタンで開閉可能な蓋に構成したことを特徴とする請求項７乃至請求項９のいずれか１項に記載の帽子。
【請求項１１】
前記固定は、両面接着テープ、接着剤または縫合により固定したことを特徴とする請求項７乃至請求項１０のいずれか１項に記載の帽子。
【請求項１２】
前記ラジオ回路に代わってデジタルオーディオプレーヤー回路を前記配置しまたは前記固定したことを特徴とする請求項１から１１に記載の帽子。
【発明の詳細な説明】
【技術分野】
【０００１】
本発明はフレキシブルラジオを内蔵した帽子に関する。
【背景技術】
【０００２】
ハンズフリーに放送を聞き音楽を楽しむために小型ラジオ、携帯型ラジオを装着する帽子が報告されている（特許文献１、特許文献２）。
【０００３】
しかし、帽子側面のシート状ラジオの特別な嵌合手段（特許文献１）が必要であり、および、ゴムバンドによる（特許文献２）装着法では、ラジオ本体が剥き出しになっている。
【０００４】
また、着用可能で、かつ高品質なオーディオ・システム（携帯スピーカー）の例が報告されている（特許文献３）。
【０００５】
しかし、変換器（スピーカー用）を着脱可能なヘッドバンド等のアダプターに配置する必要がある。
【先行技術文献】
【特許文献】
【０００６】
【特許文献１】登録実用新案３０４１７５１号公報
【特許文献２】登録実用新案３０７９８９３号公報
【特許文献３】特表平１１−５０１４７９号公報
【発明の概要】
【発明が解決しようとする課題】
【０００７】
従って、スポーツや作業時、スポーツ観戦時にラジオ放送等を聴取する際、ラジオまたはスピーカーが落下したり動作や視界の妨げになったりしないように身体に装着する手段を提供することが課題となる。
【課題を解決するための手段】
【０００８】
プラスチックフィルム、紙、不織布、布などの自在に曲げられる素材上に作製されたラジオを帽子、野球帽のブリム（つば）の部分に埋め込んだ。
【０００９】
帽子をかぶったまま、視界が遮られたり、動作が妨げられたり、落下の危険を心配することなく、同じくブリムに埋め込んだスピーカーや、ブリム内のラジオ本体から外に出したイヤホンからラジオが聴けるように構成した。
【００１０】
（１）  そのフレキシブルに湾曲するまたは固定的に湾曲した芯材と外装材とから成るつばまたはクラウンの内部に、前記芯材の湾曲する形状に沿って、ラジオ回路とその操作部を配置したフレキシブルな基板を固定、または直接ラジオ回路とその操作部を固定したことを特徴とする帽子。
（２）  前記帽子は、野球帽、バイザー、ヘルメットであることを特徴とする（１）に記載の帽子。
【００１１】
（３）  前記芯材に所定の穴を設け、
前記所定の穴の底部に前記フレキシブルな基板をあるいは直接ラジオ回路とその操作部を固定したことを特徴とする（２）に記載の帽子。
（４）
前記芯材はフレキシブルなプラスチックフィルム、紙、不織布、または布からなる単層、または前記単層を重ねて接合した積層された芯材であって前記穴は前記単層に穴を穿ち、または前記単層をくり抜いたように設けたことを特徴とする（３）に記載の帽子。
【００１２】
（５）  さらに前記芯材に他の穴を設けてその穴に前記ラジオ回路に電力を供給する電池を保持する電池ホルダを固定したことを特徴とする（４）に記載の帽子。
【００１３】
（６）  さらに前記外装材の内側あるいは前記芯材に前記ラジオ回路に接続されるアンテナを縫い込むことを特徴とする（５）に記載の帽子。
（７）  さらに前記芯材に他の穴を設けてその穴の底部に前記ラジオ回路のオーディオ出力に接続されるスピーカーを固定したことを特徴とする（６）に記載の帽子。
（８）  前記外装材の一部から前記ラジオ回路のオーディオ出力に接続されイヤホン端子を終端とするケーブルを引き出したことを特徴とする（６）に記載の帽子。
（９）  前記フレキシブルな基板に前記ラジオ回路のオーディオ出力を無線送信する無線送信部を配置したことを特徴とする（６）に記載の帽子。
【００１４】
（１０）  前記穴および他の穴が開口する面に対応する外装材を面ファスナまたはボタンで開閉可能な蓋に構成したことを特徴とする（７）乃至（９）いずれかに記載の帽子。
（１１）  前記固定は、両面接着テープ、接着剤または縫合により固定したことを特徴とする（７）乃至（１０）いずれかに記載の帽子。
【００１５】
（１２）  前記ラジオ回路に代わってデジタルオーディオプレーヤー回路を前記配置しまたは前記固定したことを特徴とする（１）乃至（１１）に記載の帽子。
【発明の効果】
【００１６】
帽子をかぶったまま、視界が遮られたり、動作が妨げられたり、落下の危険を心配することなく、同じくブリムに埋め込んだスピーカーや、ブリム内の本体から外に出したイヤホンからラジオを聴くことができるようになった。
帽子のブリムにラジオが装着されているため、帽子の外観が維持されたままラジオを聴くことができる。
また、ブリムにスピーカーが付いている場合では、ラジオ以外の周囲の音も聞こえるので、周囲で起こっていることにも注意を払うことができる。
【００１７】
近年、ワイドバンドＦＭでＡＭ放送を聴くことができるようになっており、ワイドバンドＦＭの選局が可能なＩＣを使用すれば、ＡＭ難聴地域でも、従来はほとんどＡＭでしか聴けなかった野球中継をＦＭラジオで聴くことができ、野球場での観戦中にも帽子をかぶって応援しながらゲームの詳細も知ることができる。
【００１８】
また、野球場などスポーツ施設内で特定のチームを応援するローカルＦＭ放送を受信しながら観戦できるなど、ファンに対するエンターテイメントのアイテムとしても利用できる。
【００１９】
また、ラジオはリアルタイムでの公式情報を入手できる媒体のひとつであり、デマなどに惑わされることなく正しい情報を得られる確率が高いことから、災害時などに作業をしながら情報を得ることもできる。
【図面の簡単な説明】
【００２０】
【図１】イヤホンを使用する場合の実施例１を表した帽子の例である。
【図２】スピーカーを使用する場合の実施例２を表した帽子の例である。
【図３】実施例１の帽子のブリム（つば）を構成する積層体の構成を表した図である。図３（ａ）はブリム芯Ａ、図３（ｂ）はブリム芯Ｂ、図３（ｃ））はブリム芯Ｃの平面図である。
【図４】実施例１の積層体の断面の概略図である。
【図５】積層体をさらに外装布で包んで帽子に取り付けた場合の実施例１の帽子の断面の概略図である。
【図６】実施例２の帽子のブリム（つば）を構成する積層体の構成を表した図である。図６（ａ）はブリム芯Ａ、図６（ｂ）はブリム芯Ｂ、図６（ｃ））はブリム芯Ｃ、図６（ｄ）はブリム芯Ｄの平面図である。
【図７】実施例２の積層体の断面の概略図である。
【図８】積層体をさらに外装布で包んで帽子に取り付けた場合の実施例２の帽子の断面の概略図である。
【図９】本発明の構成をあらわす下部ブリム布側から見た帽子の概略図であり、図９（ａ）は実施例１に対応し、図９（ｂ）は実施例２に対応している。本体内の詳細配線は省略、点線部は配線のうち縫い込まれているあるいは布の下であることを示している。
【発明を実施するための形態】
【００２１】
図１、および図２に本発明を実施する帽子の斜視図、図９に本発明を実施する帽子の下部ブリム布側から見た概略図を示す。
【実施例１】
【００２２】
厚さ２５μｍのプラスチックフィルム上にスクリーン印刷で銅インクを印刷、熱処理した回路配線を作製する（図示せず）。
【００２３】
その上にデジタルシグナルプロセッシング（ＤＳＰ）ラジオ用のＩＣ、抵抗、コンデンサ、タクトスイッチ、バッテリーホルダ、スイッチなどの素子を導電性接着剤あるいははんだで固定して、自在に曲げられる厚さ２ｍｍのフレキシブルラジオ本体部を作製し、および厚さ４ｍｍの電池ホルダ・スイッチ部を作製した（図５を参照）。
【００２４】
次に図３に示すような、厚さ０．５ｍｍのポリエステル製アイロン接着芯で、端に２５ｍｍ角の電池ホルダ・スイッチ部用穴があるブリム芯Ａを２枚、端の電池ホルダ・スイッチ部用穴に加えて中心に４０ｍｍ×５０ｍｍのフレキシブルラジオ本体部用の穴、配線およびイヤホン線用穴、イヤホン専用穴があるブリム芯Ｂを４枚、および厚さ１ｍｍの発泡ポリエチレン製のポリ芯で穴のないブリム芯Ｃを１枚作製する。
いずれのブリム芯の外形・サイズは同じである。
【００２５】
ブリム芯Ａを２枚重ね、さらにその上に電池ホルダ・スイッチ部用穴が一致するようにブリム芯Ｂを４枚重ね、各々のブリム芯は中温のアイロンで熱により接着した。
【００２６】
前記のように接着されたブリム芯のブリム芯Ａ側とブリム芯Ｃは接着剤で接着した。
図４に接着されたブリム芯からなる積層体の断面を示す。
【００２７】
ブリム芯Ｃ側が野球帽のブリム上部にくるように外装材としてオックス生地を裁断して作製された上部ブリム布と下部ブリム布で挟んだ。
下部ブリム布には、電池ホルダ・スイッチに該当する部分が面ファスナを介して布が開閉できるようになっている。
【００２８】
同様に、フレキシブルラジオ本体に該当する部分には面ファスナを介して薄手の布地が開閉できるようになっており、ボリュームや選局を行うタクトスイッチを押せるようになっている。
【００２９】
ブリムとクラウンを縫合し、ブリムの所定の位置にフレキシブルラジオ本体、電池ホルダ・スイッチ部を弱粘着両面テープで固定して、フレキシブルラジオ帽を作製した。
作製した帽子の断面の概略図を図５に示す。
【００３０】
本実施例１ではラジオ回路にケーブル経由でイヤホン端子を接続したが、例えば、ラジオ回路に無線通信部を加えてラジオ出力を送信可能とし、イヤホン端子に無線受信部を追加構成してワイヤレス構成としてもよい。
また、ラジオ回路に代わりまたはラジオ回路に追加して録音回路とメモリを配置し、マイクケーブルを引き出し外部マイクに接続して録音可能に構成してもよいし、そのマイクを上述したように、ワイヤレス構成としてもよい。
また、本発明では、メモリに録音した音声等を再生・聴取可能に適宜変更して構成できることは言うまでもない。
【実施例２】
【００３１】
厚さ２５μｍのプラスチックフィルム上にスクリーン印刷で銅インクを印刷、熱処理した回路配線上に、デジタルシグナルプロセッシング（ＤＳＰ）ラジオ用のＩＣや抵抗、コンデンサ、タクトスイッチ、バッテリーホルダ、スイッチなどの素子を導電性接着剤あるいははんだで固定して、自在に曲げられる厚さ２ｍｍのフレキシブルラジオ本体部および厚さ４ｍｍの電池ホルダ・スイッチ部を作製した。
また、厚さ３５０μｍの平面状圧電スピーカーをフレキシブルラジオ本体部にワイヤを介して接続した。
【００３２】
厚さ０．５ｍｍのポリエステル製アイロン接着芯で、端に２５ｍｍ角の電池ホルダ・スイッチ部用穴があるブリム芯Ａを２枚、端の電池ホルダ・スイッチ部用穴に加えて中心に４０ｍｍ×５０ｍｍのフレキシブルラジオ本体部用の穴、配線用穴があるブリム芯Ｂを３枚作製した。
【００３３】
厚さ０．５ｍｍの発泡ポリエチレン製プラ芯で、端に電池ホルダ・スイッチ部用穴、中心に４０ｍｍ×５０ｍｍのフレキシブルラジオ本体部用の穴、配線用穴があるブリム芯Ｃを１枚作製した。
【００３４】
厚さ１ｍｍの発泡ポリエチレン製のポリ芯で穴のないブリム芯Ｄを１枚作製する（図６）。いずれのブリム芯の外形・サイズは同じである。
【００３５】
ブリム芯Ａを２枚重ね、さらにその上に電池ホルダ・スイッチ部用穴が一致するようにブリム芯Ｂを３枚重ね、各々のブリム芯は中温のアイロンで熱により接着した。
【００３６】
前記のようにブリム芯Ａ、Ｂを接着したもののブリム芯Ａ側をブリム芯Ｄと接着剤で接着し、ブリム芯Ｂ側をブリム芯Ｃと接着剤で接着する。
接着されたブリム芯の断面は図７のような形となる。
【００３７】
ブリム芯Ｃが野球帽のブリム上部にくるようにオックス生地を裁断して作製された上部ブリム布と下部ブリム布で挟んだ。
下部ブリム布には、電池ホルダ・スイッチに該当する部分が面ファスナを介して布が開閉できるようになっている。
【００３８】
同様に、フレキシブルラジオ本体に該当する部分には面ファスナを介して薄手の布地が開閉できるようになっており、ボリュームや選局を行うタクトスイッチを押せるようになっている。
【００３９】
ブリムとクラウンを縫合し、ブリムの所定の位置にフレキシブルラジオ本体、電池ホルダ・スイッチ部、圧電スピーカーを弱粘着両面テープで固定して、フレキシブルラジオ帽を作製した。
断面の概略図を図８に示す。
【産業上の利用可能性】
【００４０】
本発明は広くウエアラブルエレクトロニクス機器、エンターテイメント機器として利用することができ、スポーツ時やスポーツ観戦時、作業中、災害時の情報収集などで活用できる。
【符号の説明】
【００４１】
１  帽子
２  ブリム（つば）
３  クラウン
４  ＤＳＰラジオ本体（フレキシブルラジオ本体）
５  電池ホルダおよびスイッチ
６  イヤホン
７  スピーカー
８ａ  ブリム芯Ａ、８ｂ  ブリム芯Ｂ、８ｃ  ブリム芯Ｃ、８ｄ  ブリム芯Ｄ
９  フレキシブルラジオ本体用穴
１０  電池ホルダ・スイッチ部用穴
１１  配線およびイヤホン線用穴
１２  イヤホン線用穴
１３  上部ブリム布
１４  下部ブリム布
１５  面ファスナ
１６  電池ホルダ・スイッチ部用布
１７  選局・ボリューム調整用窓布
１８  選局・ボリューム用タクトスイッチ
１９  電池
２０  電源スイッチ
２１  電池ホルダ・スイッチ位置
２２  フレキシブルラジオ本体位置
２３  配線用穴
２４  面スピーカー接着部
２５  イヤホン端子
２６  クラウン内側
２７  アンテナ
【図１】
2018204122.tif 000003
【図２】
2018204122.tif 000004
【図３】
2018204122.tif 000005
【図４】
2018204122.tif 000006
【図５】
2018204122.tif 000007
【図６】
2018204122.tif 000008
【図７】
2018204122.tif 000009
【図８】
2018204122.tif 000010
【図９】
2018204122.tif 000011